(57)【要約】      （修正有）【課題】統制局外の遠隔一斉指令台が、統制局の一斉指令設備を利用し、ハードウェアボタンで一斉指令台と類似の機能を実現し、対象局設定情報及び履歴情報を管理する通信システムを提供する。【解決手段】被一斉指令制御装置２に遠隔で一斉指令を入力する遠隔一斉指令台２６を設け、遠隔一斉指令の制御を行うための制御データを一斉指令制御装置（回線制御部）１に送信する遠隔一斉指令台（制御部）１５を統制局に設け、被一斉指令制御装置２が一斉指令制御装置１に遠隔一斉指令の通信データを送信し、一斉指令制御装置１が被一斉指令制御装置２から受信した遠隔一斉指令の通信データを、遠隔一斉指令台（制御部）１５から受信した制御データに従って被一斉指令制御装置２に、統制局制御装置４及び基地局無線装置５を介して固定端末局、半固定型無線装置に一斉に送信する制御を行う通信システム。【選択図】図６
2014045427.tif 000002
【特許請求の範囲】
【請求項１】
一斉指令を入力する一斉指令台と、一斉指令の通信データの送信を制御する一斉指令制御装置とを備える統制局と、一斉指令の通信データの受信を制御する複数の被一斉指令制御装置とを有する通信システムであって、
前記複数の被一斉指令制御装置内で特定の被一斉指令制御装置に前記統制局外から遠隔で一斉指令を入力する遠隔一斉指令台を設け、
遠隔一斉指令の制御を行うための制御データを前記一斉指令制御装置に送信する遠隔一斉指令制御部を前記統制局に設け、
前記特定の被一斉指令制御装置が前記一斉指令制御装置に遠隔一斉指令の通信データを送信し、
前記一斉指令制御装置が前記特定の被一斉指令制御装置から受信した前記遠隔一斉指令の通信データを、前記遠隔一斉指令制御部から受信した制御データに従って前記複数の被一斉指令制御装置に送信する制御を行うことを特徴とする通信システム。
【請求項２】
遠隔一斉指令台が、操作を行うハードウェアボタンを備え、前記ハードウェアボタン操作をガイドするガイダンス表示部を備えており、
遠隔一斉指令制御部が、前記遠隔一斉指令台に前記ガイダンス表示部の表示制御を行うための制御データを送信し、前記ガイダンス表示部の表示制御を行うことを特徴とする請求項１記載の通信システム。
【請求項３】
遠隔一斉指令制御部が、遠隔一斉指令の制御を行うための制御データとして遠隔一斉指令の対象局の設定情報を記憶部に記憶しており、前記設定情報を編集可能としたことを特徴とする請求項１又は２記載の通信システム。
【発明の詳細な説明】
【技術分野】
【０００１】
本発明は、通信システムに係り、特に、統制局外の遠隔から一斉指令を実現することができる通信システムに関する。
【背景技術】
【０００２】
［従来の技術］
従来から複数の端末局に対して一斉指令を行う通信システムがある。例えば、都道府県防災無線システムでは、統制局から複数の端末局に対して、無線回線を通じて音声データ、または、ＦＡＸデータを同時配信する一斉指令機能がある。
この一斉指令機能は、統制局外の遠隔の装置から複数の端末に対して一斉指令を行うものとはなっていない。
【０００３】
［関連技術］
尚、関連する先行技術として、特開２０１０−１０３６３６号公報「防災システム」（株式会社日立国際電気）［特許文献１］がある。
特許文献１には、防災システムにおいて、指令台から防災情報の一斉送信が発令されると、一斉指令制御装置からの指示によりＩＰ電話サーバが、統制局と端末局との間でＩＰ網を介した通信回線を確立させることが示されている。
【先行技術文献】
【特許文献】
【０００４】
【特許文献１】特開２０１０−１０３６３６号公報
【発明の概要】
【発明が解決しようとする課題】
【０００５】
しかしながら、上述の通り、従来の通信システムでは、統制局外の遠隔の装置から複数の端末に対して一斉指令を行うものとはなっていない。
そこで、本発明は統制局外の遠隔の装置から複数の端末に対して一斉指令を行うことができるようにすることを目的とする。
【課題を解決するための手段】
【０００６】
上記従来例の問題点を解決するための本発明は、一斉指令を入力する一斉指令台と、一斉指令の通信データの送信を制御する一斉指令制御装置とを備える統制局と、一斉指令の通信データの受信を制御する複数の被一斉指令制御装置とを有する通信システムであって、複数の被一斉指令制御装置内で特定の被一斉指令制御装置に統制局外から遠隔で一斉指令を入力する遠隔一斉指令台を設け、一斉指令制御装置に遠隔一斉指令の制御を行うための制御データを送信する遠隔一斉指令制御部を統制局に設け、特定の被一斉指令制御装置が遠隔一斉指令の通信データを一斉指令制御装置に送信し、一斉指令制御装置が特定の被一斉指令制御装置から受信した遠隔一斉指令の通信データを、遠隔一斉指令制御部から受信した制御データに従って複数の被一斉指令制御装置に送信する制御を行うことを特徴とする。
【０００７】
本発明は、上記通信システムにおいて、遠隔一斉指令台が、操作を行うハードウェアボタンを備え、ハードウェアボタン操作をガイドするガイダンス表示部を備えており、遠隔一斉指令制御部が、遠隔一斉指令台にガイダンス表示部の表示制御を行うための制御データを送信し、ガイダンス表示部の表示制御を行うことを特徴とする。
【０００８】
本発明は、上記通信システムにおいて、遠隔一斉指令制御部が、遠隔一斉指令の制御を行うための制御データとして遠隔一斉指令の対象局の設定情報を記憶部に記憶しており、設定情報を編集可能としたことを特徴とする。
【発明の効果】
【０００９】
本発明によれば、複数の被一斉指令制御装置内で特定の被一斉指令制御装置に統制局外から遠隔で一斉指令を入力する遠隔一斉指令台を設け、遠隔一斉指令の制御を行うための制御データを一斉指令制御装置に送信する遠隔一斉指令制御部を統制局に設け、特定の被一斉指令制御装置が一斉指令制御装置に遠隔一斉指令の通信データを送信し、一斉指令制御装置が特定の被一斉指令制御装置から受信した遠隔一斉指令の通信データを、遠隔一斉指令制御部から受信した制御データに従って複数の被一斉指令制御装置に送信する制御を行う通信システムとしているので、統制局の一斉指令設備を利用して、統制局外の遠隔一斉指令台から遠隔一斉指令を行うことができる効果がある。
【図面の簡単な説明】
【００１０】
【図１】本発明の実施の形態に係る通信システムの概略構成図である。
【図２】被一斉指令装置を示す図である。
【図３】別の被一斉指令装置を示す図である。
【図４】基地局制御装置と固定端末局及び固定型無線装置とを示す図である。
【図５】一斉指令時のデータの流れを示す図である。
【図６】遠隔一斉指令時のデータの流れを示す図である。
【図７】遠隔一斉操作台の盤面イメージを示す図である。
【図８】一斉指令・遠隔一斉指令の操作と処理のフローを示す図である。
【図９】対象局設定情報ファイルフォーマットを示す図である。
【図１０】履歴情報ファイルフォーマットを示す図である。
【発明を実施するための形態】
【００１１】
本発明の実施の形態について図面を参照しながら説明する。
［実施の形態の概要］
本発明の実施の形態に係る通信システムは、一斉指令台と一斉指令制御装置とを備える統制局と、一斉指令の通信データの受信を制御する複数の被一斉指令制御装置とを有する通信システムにおいて、複数の被一斉指令制御装置内で特定の被一斉指令制御装置に遠隔で一斉指令を入力する遠隔一斉指令台を設け、一斉指令制御装置に遠隔一斉指令の制御を行うための制御データを送信する遠隔一斉指令制御部を統制局に設け、特定の被一斉指令制御装置が遠隔一斉指令の通信データを一斉指令制御装置に送信し、一斉指令制御装置が受信した遠隔一斉指令の通信データを、遠隔一斉指令制御部から受信した制御データに従って複数の被一斉指令制御装置に送信する制御を行うものであり、統制局の一斉指令設備を利用して、統制局外の遠隔一斉指令台から遠隔一斉指令を行うことができるものである。
なお、遠隔一斉指令を実現するにあたり統制局の一斉指令装置を利用するので、効率良く低コストで遠隔一斉指令を実現することができる。
【００１２】
また、本発明の実施の形態に係る通信システムは、遠隔一斉指令台が、操作を行うハードウェアボタンを備え、ハードウェアボタン操作をガイドするガイダンス表示部（ガイダンスＬＥＤ）を備えており、遠隔一斉指令制御部が、遠隔一斉指令台にガイダンス表示部の表示制御を行うための制御データを送信して表示制御を行うものであり、ハードウェアボタンで一斉指令台と類似の機能を実現できるものである。
【００１３】
また、本発明の実施の形態に係る通信システムは、遠隔一斉指令制御部が、遠隔一斉指令の制御を行うための制御データとして遠隔一斉指令の対象局の設定情報を記憶部に記憶し、遠隔一斉指令の履歴情報も記憶しており、設定情報を編集可能とし、履歴情報を閲覧可能としたものである。
【００１４】
［本通信システムの概略：図１］
本発明の実施の形態に係る通信システムについて図１を参照しながら説明する。図１は、本発明の実施の形態に係る通信システムの概略構成図である。
本発明の実施の形態に係る通信システム（本通信システム）は、図１に示すように、一斉指令制御装置（回線制御部）１と、被一斉指令制御装置（Ａ）２と、被一斉指令制御装置（Ｂ）３と、統制局制御装置４と、基地局制御装置５とを基本的に有している。
【００１５】
本通信システムでは、一斉指令制御装置（回線制御部）１と、被一斉指令制御装置（Ａ）２と、被一斉指令制御装置（Ｂ）３と、統制局制御装置４とが、音声・ＦＡＸデータ等の通信データを送受する通信データ線（ｘ２１）と、制御データを送受する制御データ線（ＩＰ）で接続されている。なお、一斉指令制御装置１と被一斉指令制御装置２、３とを接続する通信データ線と制御データ線は途中多重無線回線を介して接続されていてもよい。
また、統制局制御装置４と基地局制御装置５は、音声・ＦＡＸデータ等の通信データを送受する通信データ線（Ｉ４３０）で接続されている。
【００１６】
図１の本通信システムでは、被一斉指令制御装置（Ａ）２と被一斉指令制御装置（Ｂ）３の２つの装置を設けているが、更に複数台の被一斉指令制御装置を接続するようにしてもよい。
【００１７】
そして、本通信システムの特徴として、後述するように、被一斉指令制御装置（Ａ）２に遠隔にて一斉指令を行うことができるハードウェアボタンを備える遠隔一斉指令台を接続し、その遠隔一斉指令に対する対象局設定情報及び履歴情報を管理する装置として、統制局の一斉指令制御装置（回線制御部）１に遠隔一斉指令台（制御部）１５を接続している。また、遠隔一斉指令台（制御部）１５は、遠隔一斉指令台における表示制御も行う。
【００１８】
［本通信システムの各部］
本通信システムの各部について説明する。
本通信システムの各部について具体的に説明する。
［一斉指令制御装置（回線制御部）１：図１］
一斉指令制御装置（回線制御部）１は、図１に示すように、一斉指令台１０と、遠隔一斉指令台（制御部）１５と、一斉指令制御装置（サーバ部）１６とが接続されている。
【００１９】
一斉指令制御装置（回線制御部）１は、一斉指令台１０から入力された一斉指令の通信データをシステム装置（ＰＣ）１３から入力された一斉指令を制御するための制御データに基づいて一斉指令の通信データを被一斉指令制御装置（Ａ）２に、被一斉指令制御装置（Ｂ）３に、統制局制御装置４及び基地局無線装置５を介して固定端末局及び半固定型無線装置に一斉に送信する。
【００２０】
また、本実施の形態の特徴として、一斉指令制御装置（回線制御部）１は、遠隔一斉指令台から入力された遠隔一斉指令の通信データを被一斉指令制御装置（Ａ）２から受信し、遠隔一斉指令台（制御部）１５から入力された遠隔一斉指令を制御するための制御データに基づいて遠隔一斉指令の通信データを被一斉指令制御装置（Ａ）２に、被一斉指令制御装置（Ｂ）３に、統制局制御装置４及び基地局無線装置５を介して固定端末局、半固定型無線装置に一斉に送信する。
【００２１】
一斉指令台１０は、音声再生装置・音声指令用マイク１１と、一斉指令用ＦＡＸ１２と、システム装置（ＰＣ）１３と、ディスプレイ・キーボード・マウス１４とを備えている。
音声再生装置・音声指令用マイク１１は、受信した音声データを再生する装置と、指令の音声情報を入力するマイク装置とを備え、一斉指令制御装置（回線制御部）１に接続している。
【００２２】
一斉指令用ＦＡＸ１２は、一斉指令用のＦＡＸを送信する装置であり、ＦＡＸ受信も行う。
システム装置（ＰＣ）１３は、一斉指令台１０を制御するコンピュータ装置であり、ディスプレイ・キーボード・マウス１４が接続し、一斉指令用のデータを通信データ線で一斉指令制御装置（回線制御部）１に出力し、更に制御データ（一斉指令の対象局設定情報等）を制御データ線で一斉指令制御装置（回線制御部）１に出力する。
システム装置（ＰＣ）１３は、記憶部を備え、一斉指令の対象局設定情報と一斉指令の履歴情報を記憶している。
【００２３】
システム装置（ＰＣ）１３には、一斉指令を行うためのソフトウェアがインストールされており、当該ソフトウェアを動作させることで、ディスプレイに一斉指令を操作するための操作画面を表示し、操作画面で操作ボタンの活性／非活性の表示を行って、活性の操作ボタンをクリック等の指示入力することで、操作が為されるようになっている。
【００２４】
一斉指令制御装置（サーバ部）１６は、一斉指令制御装置（回線制御部）１に接続し、一斉指令制御のサーバ部を構成しており、システム障害に備えてシステム装置（１）とシステム装置（２）を備えている。システム装置（ＰＣ）１３の記憶部に記憶する制御データを一斉指令制御装置（サーバ部）１６の記憶部で記憶してもよい。
【００２５】
［遠隔一斉指令台（制御部）１５］
遠隔一斉指令台（制御部）１５は、統制局に配置され、例えば汎用のコンピュータに専用ソフトウェアを実装したものである。遠隔一斉指令台（制御部）１５を「遠隔一斉指令制御部」と称することがある。
そして、遠隔一斉指令台（制御部）１５は、被一斉指令制御装置（Ａ）２とＩＰネットワーク（ここでは途中多重無線回線を経由）を介して接続し、遠隔一斉指令の制御情報（制御データ）を送受信する。制御データとしては、遠隔一斉指令の対象局設定情報等がある。
遠隔一斉指令台（制御部）１５と一斉指令制御装置（サーバ部）１６をＩＰネットワークで接続し、遠隔一斉指令の制御情報を送受信する。この間のインターフェース仕様は、一斉指令台１０と一斉指令制御装置（サーバ部）１６との間のインターフェース仕様を踏襲する。
【００２６】
遠隔一斉指令台（制御部）１５は、遠隔一斉指令の処理進行に応じて、遠隔一斉指令台２６の遠隔一斉操作台２６-3における盤面のガイダンスＬＥＤの点灯／消灯を制御指示する。
遠隔一斉指令台（制御部）１５は、遠隔一斉指令台２６の遠隔一斉操作台２６-3における盤面のボタン押下を検出して、当該ボタンのＬＥＤの点灯／消灯を制御指示する。尚、この際、遠隔一斉指令の処理進行に応じて、各ボタンの有効／無効を判断し、有効な場合にのみボタンのＬＥＤの点灯／消灯を制御指示する。
【００２７】
遠隔一斉指令台（制御部）１５は、遠隔一斉指令台２６の盤面上で押下された指令対象ボタン（一括／７工営／事務所４工営のいずれか）と遠隔一斉指令の処理進行に応じて、指令対象局の状態を示す４色ＬＥＤの点灯／消灯を制御指示する。例えば、黄色は選択局、ピンク色は接続確認局、青色は応答確認局、緑色は受令確認局を示している。
尚、この際、遠隔一斉指令の対象局設定情報に従い、４色ＬＥＤの有効／無効を判断する。遠隔一斉指令台２６の盤面上に予め設けられている予備局ＬＥＤは、対象局設定で無効化しておくことで、ＬＥＤ点灯処理の対象外となる。
【００２８】
遠隔一斉指令台（制御部）１５は、一斉指令の対象局設定情報と、遠隔一斉指令台２６で一斉指令した履歴情報をファイルとして記憶し、管理するコンピュータ装置である。遠隔一斉指令台（制御部）１５でのデータの記憶フォーマットについては後述する。
また、遠隔一斉指令台（制御部）１５は、対象局設定情報と履歴情報を記憶しているので、一斉指令台１０又は一斉指令制御装置（サーバ部）１６からＩＰネットワークを介してのアクセスにより対象局設定情報を編集でき、履歴情報を閲覧できる。遠隔一斉指令台（制御部）１５に操作部と表示部を接続して直接対象局設定情報の編集と履歴情報の閲覧を行うようにしてもよい。
【００２９】
そして、システム装置（ＰＣ）１３，遠隔一斉指令台（制御部）１５，一斉指令制御装置（サーバ部）１６は、制御データ線（ＩＰネットワーク：単に「ＩＰ」）を介して一斉指令制御装置（回線制御部）１，被一斉指令制御装置（Ａ）２，被一斉指令制御装置（Ｂ）３，統制局制御装置４に接続している。
【００３０】
［被一斉指令制御装置（Ａ）２：図２］
被一斉指令制御装置（Ａ）２には、図２に示すように、受令電話機２１と、受令スピーカー２２と、ＦＡＸ装置２３と、ＦＡＸ受令確認装置２４とが４局接続されている。
また、被一斉指令制御装置（Ａ）２には、被監視制御装置２５が接続され、本実施の形態の特徴部分としての遠隔一斉指令台２６が接続されている。
被一斉指令制御装置（Ａ）２とそれに接続する各装置で被一斉指令装置を構成している。図２は、被一斉指令装置を示す図である。
【００３１】
［遠隔一斉指令台２６］
遠隔一斉指令台２６は、汎用のコンピュータに専用ソフトウェアを実装した形態ではなく、操作性を単純化して利便性を向上させるためにハードウェアボタンで実現する箱形の装置である。
遠隔一斉指令台２６は、音声入力を行う遠隔一斉マイク２６-1と、遠隔でＦＡＸ送信を行うための遠隔一斉ＦＡＸ装置２６-2と、遠隔操作を行うための遠隔一斉操作台２６-3とを備えている。
【００３２】
特に、遠隔一斉マイク２６-1は通信データ線（ＯＤ）で、遠隔一斉ＦＡＸ装置２６-2は通信データ線（ＣＯＴ）で、遠隔一斉操作台２６-3は接点で、被一斉指令制御装置（Ａ）２に接続している。
遠隔一斉指令台２６の盤面イメージについては後述する。
【００３３】
［被一斉指令制御装置（Ｂ）３：図３］
被一斉指令制御装置（Ｂ）３には、図３に示すように、受令電話機３１と、受令スピーカー３２と、ＦＡＸ装置３３と、ＦＡＸ受令確認装置３４とが２局接続され、被監視制御装置３５が接続されている。
被一斉指令制御装置（Ｂ）３には、遠隔一斉指令台は接続されていない。
被一斉指令制御装置（Ｂ）３とそれに接続する各装置で別の被一斉指令装置を構成している。図３は、別の被一斉指令装置を示す図である。
【００３４】
［統制局制御装置４］
統制局制御装置４は、図示していないが、通信監視装置、遠方監視制御装置、運用管理装置、交換統制台等が接続され、一斉指令の音声データ、ＦＡＸデータを基地局無線装置５に送信するために制御する装置である。
【００３５】
［基地局制御装置５：図４］
基地局制御装置５には、図４に示すように、固定端末局５１、固定型無線装置５２が無線通信により接続している。
固定端末局５１は、一斉指令電話機５１-1と、一斉指令スピーカー５１-2と、一斉受令ＦＡＸ装置５１-3を備えている。
図４は、基地局制御装置と固定端末局及び固定型無線装置とを示す図である。
【００３６】
［一斉指令時のデータの流れ：図５］
次に、本通信システムにおける一斉指令時のデータの流れについて図５を参照しながら説明する。図５は、一斉指令時のデータの流れを示す図である。
図５に示すように、一斉指令台１０（システム装置１３）は、システム装置１３内の記憶部に記憶する対象局設定情報、履歴情報にファイルアクセス可能で管理している。
【００３７】
［音声・ＦＡＸデータの流れ］
一斉指令台１０（音声再生装置・音声指令用マイク１１）は、音声・ＦＡＸデータを通信データ線（ＣＤ／ＣＯＴ）を介して一斉指令制御装置（回線制御部）１に送信し、一斉指令制御装置（回線制御部）１が通信データ線（X.21）を介して統制局制御装置４に音声・ＦＡＸデータを送信する。
統制局制御装置４は、通信データ線（I.430）を介して基地局無線装置５に音声・ＦＡＸデータを送信し、基地局無線装置５は、例えば２６０ＭＨｚ帯デジタル無線回線で、音声・ＦＡＸデータを固定端末局５１の一斉指令受令設備（一斉指令電話機５１-1、一斉指令スピーカー５１-2、一斉受令ＦＡＸ装置５１-3）及び半固定型無線装置５２に送信する。
【００３８】
［制御データの流れ］
また、制御データに関しては、一斉指令台１０（システム装置（ＰＣ）１３）と一斉指令制御装置（サーバ部）１６とは、制御データ線（ＩＰ）を介して制御データを送受信し、一斉指令制御装置（サーバ部）１６と一斉指令制御装置（回線制御部）１及び統制局制御装置４とは、制御データ線（ＩＰ）を介して制御データを送受信する。
【００３９】
統制局制御装置４と基地局無線装置５とは、通信データ線（I.430）を介して制御データを送受信する。
基地局無線装置５と固定端末局５１及び半固定型無線装置５２との間では、例えば２６０ＭＨｚ帯デジタル無線回線を介して制御データを送受信する。
以上が一斉指令時の音声・ＦＡＸデータの流れと制御データの流れである。
【００４０】
［遠隔一斉指令時のデータの流れ：図６］
次に、本通信システムにおける遠隔一斉指令時のデータの流れについて図６を参照しながら説明する。図６は、遠隔一斉指令時のデータの流れを示す図である。
［音声・ＦＡＸデータの流れ］
図６に示すように、遠隔一斉指令台２６（遠隔一斉マイク２６-1、遠隔一斉ＦＡＸ装置２６-2）は、音声・ＦＡＸデータを通信データ線（ＣＤ／ＣＯＴ）を介して被一斉指令制御装置（Ａ）２に送信し、被一斉指令制御装置（Ａ）２が通信データ線（X.21）を介して一斉指令制御装置（回線制御部）１に音声・ＦＡＸデータを送信する。この通信データ線（X.21）は、多重無線回線に接続される。
更に、一斉指令制御装置（回線制御部）１が通信データ線（X.21）を介して統制局制御装置４に音声・ＦＡＸデータを送信する。
【００４１】
統制局制御装置４は、通信データ線（I.430）を介して基地局無線装置５に音声・ＦＡＸデータを送信し、基地局無線装置５は、例えば２６０ＭＨｚ帯デジタル無線回線で、音声・ＦＡＸデータを固定端末局５１の一斉指令受令設備（一斉指令電話機５１-1、一斉指令スピーカー５１-2、一斉受令ＦＡＸ装置５１-3）及び半固定型無線装置５２に送信する。
【００４２】
［制御データの流れ］
また、制御データに関しては、遠隔一斉指令台２６（遠隔一斉操作台２６-3）と被一斉指令制御装置（Ａ）２とは接点接続し、制御データを送受信する。
被一斉指令制御装置（Ａ）２と遠隔一斉指令台（制御部）１５とは制御データ線（ＩＰ）を介して制御データを送受信する。この制御データ線（ＩＰ）は、多重無線回線に接続される。
【００４３】
このように、遠隔一斉指令台２６と被一斉指令制御装置（Ａ）２との間、及び、ＩＰ回線を介した被一斉指令制御装置（Ａ）２と遠隔一斉指令台（制御部）１５との間で送信される遠隔一斉指令のための制御データは、遠隔一斉操作台２６-3の接点情報となる。つまり、遠隔一斉指令台２６-3のどのハードウェアボタンが操作されたかを示すハードウェアボタンの操作情報が制御データとして送信される。したがって、ＩＰ回線を介した制御データのデータ量が少なく、遠隔一斉指令を実現するためにＩＰ回線（多重無線回線）を逼迫することがない。
【００４４】
遠隔一斉指令台（制御部）１５は、内部の記憶部に記憶する対象局設定情報、履歴情報にファイルアクセス可能で管理している。
遠隔一斉指令台（制御部）１５と一斉指令制御装置（サーバ部）１６とは、制御データ線（ＩＰ）を介して制御データを送受信し、一斉指令制御装置（サーバ部）１６と一斉指令制御装置（回線制御部）１及び統制局制御装置４とは、制御データ線（ＩＰ）を介して制御データを送受信する。
【００４５】
統制局制御装置４と基地局無線装置５とは、通信データ線（I.430）を介して制御データを送受信する。
基地局無線装置５と固定端末局５１及び半固定型無線装置５２との間では、例えば２６０ＭＨｚ帯デジタル無線回線を介して制御データを送受信する。
以上が一斉指令時の音声・ＦＡＸデータの流れと制御データの流れである。
このように、本通信システムでは、遠隔からの一斉指令のための制御データと音声・ＦＡＸデータとは別ルートで流れ、通常の一斉指令（統制局の一斉指令台１０からの一斉指令）を行う制御部（一斉指令制御装置１６および一斉指令制御装置１）を利用して遠隔からの一斉指令を行うことができる。
【００４６】
つまり、制御データとしての単なる接点情報が遠隔一斉指令台２６から被一斉指令制御装置２を介して統制局の遠隔一斉指令台１５に入力され、遠隔一斉指令台１５から通常の一斉指令を行う一斉指令制御装置１６に対しては対象局の情報（宛先情報）を含む一斉指令制御データが入力される。一方、音声・ＦＡＸデータは遠隔一斉指令台２６からの被一斉指令制御装置２を介して、通常の一斉指令を行う一斉指令制御装置１に直接入力される。
このように、制御データは遠隔一斉指令台１５を経由して一斉指令制御装置１６に入力されるが、音声・ＦＡＸデータは遠隔一斉指令台１５を経由せずに一斉指令制御装置１に直接入力される。
【００４７】
そして、統制局制御装置４はこれら一斉指令制御装置１６の制御データと一斉指令制御装置１の音声・ＦＡＸデータとを用いて、通常の一斉指令と同様に、基地局無線装置５を介して一斉指令を行う。
以上の通り、本通信システムでは、遠隔地に遠隔一斉指令台２６のみを設け、統制局に遠隔一斉指令台１５を設け、制御データと音声・ＦＡＸデータとを別ルートで送信して通常の一斉指令で使用する一斉指令制御装置１，１６を利用することにより、遠隔からの一斉指令を効率良く低コストで実現する。
【００４８】
［一斉指令台での操作］
遠隔一斉操作台２６-3での操作について説明する前に、一斉指令台１０における操作について簡単に説明する。
一斉指令台１０のディスプレイ１４には、一斉指令の画面が表示され、一斉指令の処理進行に従って画面が遷移し、画面上でボタンの活性／非活性の表示がなされ、ユーザーに正しい操作を促す入力補助機能を備えている。
【００４９】
［遠隔一斉操作台２６-3：図７］
次に、遠隔一斉操作台２６-3の盤面イメージについて図７を参照しながら説明する。
一斉指令台１０は、「処理進行に応じたに画面遷移やボタンの活性／非活性表示」、「ガイダンスメッセージやエラーメッセージのポップアップ」など、ユーザーに対して正しい操作を促すための入力補助機能を持っている。これらは、汎用ＰＣに専用ソフトウェアを実装した形態で可能な方式である。
一方、遠隔一斉操作台２６-3はハードウェアボタンで実装するが、一斉指令台１０と同一または類似の機能、操作手順を実現することが望ましく、一斉指令台１０とは異なった方式により入力補助を実現しなければならない。
そのため、以下に説明する通り、遠隔一斉操作台２６-3を構成した。
【００５０】
図７は、遠隔一斉操作台の盤面イメージを示す図である。
遠隔一斉操作台２６-3の盤面は、図７に示すように、上面に主電源スイッチがあり、その他端子、コネクタ、プラグを備えている。
また、右側面には、テスト用のＬＥＤ（Light Emitting Diode）が設けられている。
【００５１】
盤面正面の上側には、運用状態表示部があり、マイクとヘッドフォンの音量調整のツマミを備えている。
盤面正面の下側には、指令対象局について、現在個々の局が指令対象となっているか否かの状態を示すＬＥＤ表示部があり、更に、その下側には、ガイダンス表示部（ガイダンスＬＥＤ）を備える操作ボタンが設けられている。
ガイダンスＬＥＤは、一斉指令の状況に応じて点灯し、操作ボタンの操作を促すものである。
【００５２】
［一斉指令・遠隔一斉指令の操作と処理：図８］
次に、一斉指令台１０と遠隔一斉操作台２６-3における操作と処理について図８を参照しながら説明する。図８は、一斉指令・遠隔一斉指令の操作と処理のフローを示す図である。一斉指令と遠隔一斉指令とは別々に行われるが、図８では統合して説明する。
図８に示すように、一斉指令・遠隔一斉指令が開始されると（Ｓ１）、指令種別（音声一斉／ＦＡＸ一斉など）の選択が為される（Ｓ２）。図７の遠隔一斉操作台２６-3では、指令種別のガイダンスＬＥＤが点灯して「音声」又は「ＦＡＸ」の指令種別ボタンの操作が可能となり、指令種別ボタンの押下によって選択を行う。
【００５３】
指令種別の選択指示が終了すると、次に指令対象局の選択が為される（Ｓ３）。図７の遠隔一斉操作台２６-3では、指令対象のガイダンスＬＥＤが点灯し、指令対象の操作ボタンの押下可能となり、指令対象の局ボタンが押下され、操作の「選択完了」のガイダンスＬＥＤが点灯して「選択完了」ボタンを押下することで指令対象局の選択が為される。
【００５４】
一斉指令台１０及び遠隔一斉操作台２６-3は、指令対象局への接続処理（音声／ＦＡＸのパス形成）音声一斉の場合のみトーキー再生を行う（Ｓ４）。
そして、一斉指令台１０及び遠隔一斉操作台２６-3では、一斉指令の開始を行う（Ｓ５）。図７の遠隔一斉操作台２６-3では、操作の「指令開始」のガイダンスＬＥＤが点灯して「指令開始」ボタンを押下することで、発話又はＦＡＸ送信が開始される。
つまり、一斉指令（音声／ＦＡＸデータ伝送）が為される（Ｓ６）。
【００５５】
一斉指令後に、受令確認の開始を行う（Ｓ７）。図７の遠隔一斉操作台２６-3では、操作の「受令確認」のガイダンスＬＥＤが点灯して「受令確認」ボタンを押下することで、受令確認が開始される。
受令確認の開始によって、一斉指令対象局からの受令確認情報を受理する（Ｓ８）。指令対象局から受令確認情報を受理すると、図７の遠隔一斉操作台２６-3では、指令対象局のＬＥＤ表示部に受理した局に対応するＬＥＤが点灯し、操作の「指令終了」のガイダンスＬＥＤが点灯して「指令終了」ボタンを押下することで、一斉指令の終了が指示される（Ｓ９）。
【００５６】
そして、一斉指令台１０及び遠隔一斉操作台２６-3は、終了処理が為され（Ｓ１０）、事例確認情報を集計し、一斉指令結果印字を行って処理を終了する（Ｓ１１）。
尚、終了処理後に、再指令のガイダンスＬＥＤが点灯し、再指令するか、再指令しないかを選択できるようになっている。
【００５７】
［制御情報］
被一斉指令制御装置２と遠隔一斉指令台（制御部）１５との間で送受信する制御情報について説明する。これら制御情報は、ボタン押下の状態やＬＥＤ点灯の状態を示す内容である。
【００５８】
［遠隔一斉指令台ボタン押下情報］
遠隔一斉指令台２６のボタン押下を示す接点入力（押下中ラッチ）を検出した際に、被一斉指令制御装置２から遠隔一斉指令台（制御部）１５に送信されるのは、「ボタン押下情報１」と「ボタン押下情報２」である。
【００５９】
ボタン押下情報１には、音声ボタン、ＦＡＸボタン、一括ボタン等のＯＮ／ＯＦＦの情報が設定され、ボタン押下情報２には、選択完了ボタン、指令開始ボタン、指令確認ボタン、受令確認ボタン、指令終了ボタン、再指令するボタン、再指令しないボタン、中断ボタン等のＯＮ／ＯＦＦの情報が設定される。
【００６０】
［遠隔一斉指令台ＬＥＤ点灯情報］
遠隔一斉指令台２６のＬＥＤ点灯指示を、遠隔一斉指令台（制御部）１５から被一斉指令制御装置２に送信するための情報が「ＬＥＤ点灯情報１〜３」である。
【００６１】
ＬＥＤ点灯情報１は、指令種別ガイダンスＬＥＤ、指令対象ガイダンスＬＥＤ、選択完了ガイダンスＬＥＤ等の点灯／非点灯の情報である。
ＬＥＤ点灯情報２は、音声ボタンＬＥＤ、ＦＡＸボタンＬＥＤ、一括ボタンＬＥＤ等の点灯／非点灯の情報である。
ＬＥＤ点灯情報３は、選択完了ボタンＬＥＤ、指令開始ボタンＬＥＤ、受令確認ボタンＬＥＤ等の点灯／非点灯の情報である。
【００６２】
［遠隔一斉指令台４色ＬＥＤ点灯情報］
遠隔一斉指令台２６における遠隔一斉操作台２６-3では、指令対象局が４色発光のＬＥＤとなっている。この４色発光ＬＥＤの点灯指示を、遠隔一斉指令台（制御部）１５から被一斉指令制御装置２に送信するための情報が「４色ＬＥＤ点灯情報１〜８」である。
【００６３】
４色ＬＥＤ点灯情報１は、７工営についての黄色表示／非表示の情報であり、４色ＬＥＤ点灯情報２は、事務所４工営についての黄色表示／非表示の情報である。
４色ＬＥＤ点灯情報３は、７工営についてのピンク色表示／非表示の情報であり、４色ＬＥＤ点灯情報４は、事務所４工営についてのピンク色表示／非表示の情報である。
４色ＬＥＤ点灯情報５は、７工営についての青色表示／非表示の情報であり、４色ＬＥＤ点灯情報６は、事務所４工営についての青色表示／非表示の情報である。
４色ＬＥＤ点灯情報７は、７工営についての緑色表示／非表示の情報であり、４色ＬＥＤ点灯情報４は、事務所４工営についての緑色表示／非表示の情報である。
【００６４】
被一斉指令制御装置２は、受信情報に基づき遠隔一斉指令台２６への接点出力（ラッチ）を行う。尚、黄色は「選択局」を、ピンク色は接続確認局を、青色を応答確認局を、緑色は受令確認局を示す色である。
このように、本通信システムの遠隔一斉指令台２６（遠隔一斉操作台２６-3）は、上述したガイダンスＬＥＤや、ＬＥＤの点灯／非点灯、一斉指令に関する種々の状態に応じた４色ＬＥＤの点灯区別を行うことにより、一斉指令台１０と同一または類似の機能、操作手順を実現でき、操作者は次に必要な操作や現在の状態が分かり易く利便性が向上する。
【００６５】
［対象局設定情報ファイルフォーマット：図９］
次に、一斉指令・遠隔一斉指令の対象局の対象局設定情報ファイルフォーマットについて図９を参照しながら説明する。図９は、対象局設定情報ファイルフォーマットを示す図である。
対象局設定情報ファイルフォーマットは、図９に示すように、index，局ＩＤ，局番号，局名称（上位局），局名称（下位局），区分，ブロック，属性，配置番号，その他フラグ情報から構成されている。
【００６６】
遠隔一斉指令台（制御部）１５が保持する対象局設定情報ファイルは、１３行で構成される。これは、盤面に実装する各対象局向けの４色発光ＬＥＤが予備を含め１３個（７工営所＋予備１、管理事務所４工営所＋予備１）のためである。
ファイル内の各行は、これらの４色発光ＬＥＤに対応（盤面左端が１行目）し、遠隔一斉指令台使用フラグがオフの場合には、当該ＬＥＤに対応する対象局が無いことを示す。また、行内に記される局番号は、遠隔一斉指令の際に一斉指令制御装置（サーバ部）１６に指定する局番号を示す。本ファイルの局番号を書き換えることで、一斉指令先を変更することができる。
【００６７】
［履歴情報ファイルフォーマット：図１０］
また、一斉指令・遠隔一斉指令の対象局の履歴情報ファイルフォーマットについて図１０を参照しながら説明する。図１０は、履歴情報ファイルフォーマットを示す図である。
履歴情報ファイルフォーマットは、図１０に示すように、一斉指令・遠隔一斉指令毎に、指令台番号，一斉指令識別番号，回線種別，指令種別，指令対象番号，指令対象局名称等、更に局番号毎に、局名称，系統番号，グループ番号，接続確認有無，応答確認有無，受令確認有無，障害有無等から構成されている。
【００６８】
履歴情報ファイルは、一斉指令又は遠隔一斉指令の１回の実施により１つのファイルが生成されるものである。最初の３行が当該指令の実施日時や発令元を示し、それ以降は行毎に対象局の受令状況を示している。
【００６９】
［実施の形態の効果］
本通信システムによれば、統制局外の被一斉指令制御装置２に接続する遠隔一斉指令台２６から音声又はＦＡＸによる遠隔一斉指令を行うことができる効果がある。
本通信システムによれば、遠隔一斉指令機能の実装に際して、遠隔一斉指令台２６以外の機器設備は一斉指令台１０からの一斉指令用の設備と共用し、これらのインターフェース仕様に変更を加えないようにしているので、簡易に低コストで遠隔一斉指令を実現できる効果がある。
【００７０】
本通信システムによれば、遠隔一斉指令の操作台２６-3の操作手順は、一斉指令台１０の操作端末部と同様にし、これを単純なハードウェアボタンで実現し、更に、正しい操作を促す入力補助機能を実装しているので、遠隔一斉指令台２６を導入しても安心して操作できる効果がある。
本通信システムによれば、統制局の遠隔一斉指令台（制御部）１５で遠隔一斉指令の対象局設定情報や履歴情報を記憶しているので、統制局で遠隔一斉指令の対象局設定情報を変更し、履歴情報を閲覧できる効果がある。
【産業上の利用可能性】
【００７１】
本発明は、統制局外の遠隔一斉指令台が、統制局の一斉指令設備を利用し、ハードウェアボタンで一斉指令台と類似の機能を実現し、対象局設定情報及び履歴情報を管理する通信システムに好適である。
【符号の説明】
【００７２】
１...一斉指令制御装置（回線制御部）、  ２...被一斉指令制御装置（Ａ）、  ３...被一斉指令制御装置（Ｂ）、  ４...統制局制御装置、  ５...基地局無線装置、  １０...一斉指令台、  １１...音声再生装置・音声指令用マイク、  １２...一斉指令用ＦＡＸ、  １３...システム装置（ＰＣ）、  １４...ディスプレイ・キーボード・マウス、  １５...遠隔一斉指令台（制御部）、  １６...一斉指令制御装置（サーバ部）、  ２１...受令電話機、  ２２...受令スピーカー、  ２３...ＦＡＸ装置、  ２４...ＦＡＸ受令確認装置、  ２５...被監視制御装置、  ２６...遠隔一斉指令台、  ２６-1...遠隔一斉マイク、  ２６-2...遠隔一斉ＦＡＸ装置、  ２６-3...遠隔一斉操作台、  ３１...受令電話機、  ３２...受令スピーカー、  ３３...ＦＡＸ装置、  ３４...ＦＡＸ受令確認装置、  ３５...被監視制御装置、  ５１...固定端末局、  ５１-1...一斉指令電話機、  ５１-2...一斉指令スピーカー、  ５１-3...一斉受令ＦＡＸ装置、  ５２...固定型無線装置
【図１】
2014045427.tif 000003
【図２】
2014045427.tif 000004
【図３】
2014045427.tif 000005
【図４】
2014045427.tif 000006
【図５】
2014045427.tif 000007
【図６】
2014045427.tif 000008
【図７】
2014045427.tif 000009
【図８】
2014045427.tif 000010
【図９】
2014045427.tif 000011
【図１０】
2014045427.tif 000012